(57)【特許請求の範囲】
【請求項１】
プラグ挿入孔が形成された本体部と、
該本体部を覆う金属ケースとを備え、
該金属ケースは、金属板が折り曲げられて組立られ、縁部を有すると共に該縁部近傍に配置された係合孔が形成された平板部を有し、
該本体部には、該平板部と対向し該係合孔に係合する係合突起を有する表面と、該係合突起近傍に配置され該縁部の該表面からの浮き上がりを防止する浮き上がり防止片とを有し、
該平板部は、上板と、該上板から下方に折り曲げられ該係合孔が形成される側板とを有し、該側板には、該係合孔を画成し上板側に位置する係合孔上縁部と反上板側に位置する係合孔下縁部とが規定され、
該係合孔と該係合突起とは、該係合突起が該係合孔に係合した状態で、該係合孔下縁部から該係合突起までの距離が、該係合孔上縁部から該係合突起までの距離より小さくなる位置にそれぞれ配置されていることを特徴とするモジュラジャック。
【請求項２】
該浮き上がり防止片は、該表面と対向する対向面を有し、該係合孔に該係合突起が係合した状態で該表面と該対向面との間に形成される隙間に該縁部が挿入されていることを特徴とする請求項１に記載のモジュラジャック。
【請求項３】
該対向面には、該隙間の開口に近づくほど該表面から離間する斜面を有していることを特徴とする請求項２に記載のモジュラジャック。
【請求項４】
該浮き上がり防止片は、該表面から該対向面までの間の距離が該縁部の板厚の二倍未満になるように構成されていることを特徴とする請求項２に記載のモジュラジャック。
【請求項５】
該係合突起と該係合孔とを、それぞれ同数かつ複数有していることを特徴とする請求項１から請求項４のいずれか一に記載のモジュラジャック。
【請求項６】
該浮き上がり防止片を複数有していることを特徴とする請求項１から請求項５のいずれか一に記載のモジュラジャック。
【請求項７】
プラグ挿入孔が形成された本体部と、
該本体部を覆う金属ケースとを備え、
該金属ケースは、金属板が折り曲げられて組立られ、縁部を有すると共に該縁部近傍に配置された係合孔が形成された平板部を有し、
該本体部には、該平板部と対向し該係合孔に係合する係合突起を有する表面と、該係合突起近傍に配置されて該縁部が挿入される溝部が形成された浮き上がり防止片と、を有し、
該平板部は、上板と、該上板から下方に折り曲げられ該係合孔が形成される側板とを有し、該側板には、該係合孔を画成し上板側に位置する係合孔上縁部と反上板側に位置する係合孔下縁部とが規定され、
該係合孔と該係合突起とは、該係合突起が該係合孔に係合した状態で、該係合孔下縁部から該係合突起までの距離が、該係合孔上縁部から該係合突起までの距離より小さくなる位置にそれぞれ配置されていることを特徴とするモジュラジャック。
【請求項８】
該浮き上がり防止片は、該表面と対向する対向面を有し、該表面と該対向面との間に該溝部が形成されていることを特徴とする請求項７に記載のモジュラジャック。
【発明の詳細な説明】
【技術分野】
【０００１】
本発明はモジュラジャックに関し、特にモジュラジャックを構成する複数のパーツの係合構造に関する。
【背景技術】
【０００２】
テレビ等の電気機器には、データ通信を行うべくＬＡＮケーブル等が接続されるモジュラジャックが設けられている。このモジュラジャックは特許文献１に示されるように、ＬＡＮケーブル等のコネクタが挿入されるモジュラジャック本体とモジュラジャック本体を覆う金属ケースとを有しており、モジュラジャック本体に金属ケースが装着されて構成されている。具体的には、モジュラジャック本体の側面から突出する突起と、金属ケースに形成された孔とが係合することにより、金属ケースがモジュラジャック本体に装着されている。
【先行技術文献】
【特許文献】
【０００３】
【特許文献１】米国特許第７３４１４９２号明細書
【発明の概要】
【発明が解決しようとする課題】
【０００４】
上述の構成のモジュラジャック本体に金属ケースを装着する際は、金属ケースの孔周辺が突起を乗り越えた後に、突起と孔とが係合する。この場合、金属ケースが拡開することがあり、金属ケースをモジュラジャック本体に装着後においても金属ケースが開いたままになるおそれがあった。金属ケースが開いたままでは、突起と孔との係合が完全ではなく、故に金属ケースがモジュラジャック本体から脱落するおそれがあった。よって本発明は、金属ケースの開放を抑制して、モジュラジャック本体からの脱落を抑制したモジュラジャックを提供することを目的とする。
【課題を解決するための手段】
【０００５】
上記課題を解決するために本発明は、プラグ挿入孔が形成された本体部と、本体部を覆う金属ケースとを備え、金属ケースは、金属板が折り曲げられて組立られ、縁部を有すると共に縁部近傍に配置された係合孔が形成された平板部を有し、本体部には、平板部と対向し係合孔に係合する係合突起を有する表面と、係合突起近傍に配置され縁部の表面からの浮き上がりを防止する浮き上がり防止片とを有し、平板部は、上板と、上板から下方に折り曲げられ係合孔が形成される側板とを有し、側板には、係合孔を画成し上板側に位置する係合孔上縁部と反上板側に位置する係合孔下縁部とが規定され、係合孔と該係合突起とは、係合突起が係合孔に係合した状態で、係合孔下縁部から係合突起までの距離が、係合孔上縁部から係合突起までの距離より小さくなる位置にそれぞれ配置されているモジュラジャックを提供する。
【０００６】
上記構成のモジュラジャックにおいて、浮き上がり防止片は、表面と対向する対向面を有し、係合孔に係合突起が係合した状態で表面と対向面との間に形成される隙間に縁部が挿入されていることが好ましい。
【０００７】
これらのような構成によると、金属ケースが本体部に装着された状態で、係合孔周辺の縁部が表面から浮き上がることが抑制される。よって係合孔に係合突起が確実に係合し、金属ケースの本体部からの脱落を抑制することができる。更に、金属ケースが上方に移動するように本体部から外れようとするが、係合突起と係合孔との下側の隙間が小さいため、金属ケースが本体部からほとんど上方へ移動することができない。即ち金属ケースと本体部との間に発生するガタを抑制することができる。
【０００８】
また対向面には、隙間の開口に近づくほど表面から離間する斜面を有していることが好ましい。
【０００９】
このような構成によると、隙間内に縁部を挿入しやすくなる。よって金属ケースの本体部への装着性をよくすることができる。
【００１０】
また浮き上がり防止片は、表面から対向面までの間の距離が縁部の板厚の二倍未満になるように構成されていることが好ましい。
【００１１】
このような構成によると、浮き上がり防止片への縁部の挿入性を確保しつつも、浮き上がり防止片から縁部が外れ難くなる。
【００１４】
また係合突起と係合孔とを、それぞれ同数かつ複数有していることが好ましい。
【００１５】
このような構成によると、より確実に本体部と金属ケースとを係合させることができる。
【００１６】
また浮き上がり防止片を複数有していることが好ましい。
【００１７】
このような構成によると、より確実に縁部の浮き上がりを防止することができる。
【００１８】
また上記課題を解決するために、プラグ挿入孔が形成された本体部と、本体部を覆う金属ケースとを備え、金属ケースは、金属板が折り曲げられて組立られ、縁部を有すると共に縁部近傍に配置された係合孔が形成された平板部を有し、本体部には、平板部と対向し係合孔に係合する係合突起を有する表面と、係合突起近傍に配置されて縁部が挿入される溝部が形成された浮き上がり防止片と、を有し、平板部は、上板と、上板から下方に折り曲げられ係合孔が形成される側板とを有し、側板には、係合孔を画成し上板側に位置する係合孔上縁部と反上板側に位置する係合孔下縁部とが規定され、係合孔と該係合突起とは、係合突起が係合孔に係合した状態で、係合孔下縁部から係合突起までの距離が、係合孔上縁部から係合突起までの距離より小さくなる位置にそれぞれ配置されているモジュラジャックを提供する。
【００１９】
上記構成のモジュラジャックにおいて、浮き上がり防止片は、表面と対向する対向面を有し、表面と対向面との間に溝部が形成されていることが好ましい。
【発明の効果】
【００２０】
本発明のモジュラジャックによれば、金属ケースの開放を抑制することができる。
【図面の簡単な説明】
【００２１】
【図１】本発明の実施の形態に係るモジュラジャックの斜視図。
【図２】本発明の実施の形態に係るモジュラジャックの分解状体での斜視図。
【図３】本発明の実施の形態に係るモジュラジャックの浮き上がり防止片周辺の部分平面図。
【図４】本発明の実施の形態に係るモジュラジャックの第二係合突起と第二係合孔との関係を示す部分側面図。
【図５】本発明の実施の形態の第一の変形例に係るモジュラジャックの斜視図。
【図６】本発明の実施の形態の第二の変形例に係るモジュラジャックの斜視図。
【図７】本発明の実施の形態の第三の変形例に係るモジュラジャックの斜視図。
【発明を実施するための形態】
【００２２】
本発明の実施の形態によるモジュラジャックについて、図１から図４に基づき説明する。図１及び図２に示されるモジュラジャック１は、ＬＡＮケーブルが接続されるジャックであり、主にコネクタ挿入部３と、端子保持部４と、カバー５とから構成される本体部２と、金属ケース６とから構成されている。以下の説明において、端子保持部４からからコネクタ挿入部３に向かう方向を前側として前後方向を定義する。また前後方向と直交する方向であって、コネクタ挿入部３から金属ケース６の後述の上板６３に向かう方向を上方として上下方向を定義し、前後方向及び上下方向と直交する方向を左右方向と定義する。またモジュラジャック１は、左右対称に構成されている。よって左右方向の側面に係る説明については、一側面側のみについて説明する。
【００２３】
図２に示されるように、コネクタ挿入部３は、下壁３１と一対の側壁３２、３２と、背壁３３と、上壁３４とを主な構成要素とし、これら壁から内部に空間３ａが画成された略直方体の枠体状に構成されており、前面に空間３ａと連通し、図示せぬプラグを挿入可能なプラグ挿入孔３ｂが形成されている。空間３ａ内において下壁３１には図示せぬプラグの端子と接触する複数の端子である端子群３Ａが設けられている。
【００２４】
側壁３２には、空間３ａ外に位置する表面である外側面３２Ａが規定されている。外側面３２Ａには、それぞれ第一係合突起３２Ｂ、第二係合突起３２Ｃが設けられている。第一係合突起３２Ｂは、外側面３２Ａにおいて前側かつ下側に配置されている。第二係合突起３２Ｃは、外側面３２Ａにおいて後側かつ上下方向における略中央位置に配置されている。第一係合突起３２Ｂと第二係合突起３２Ｃとはそれぞれ同形状を成しており、前側から後側に向かうに連れて外側面３２Ａからの突出量が増えるクサビ形状に構成されている。
【００２５】
背壁３３は、下壁３１、一対の側壁３２、３２、上壁３４の後端部に位置しており、端子保持部４に接続されている。上壁３４には、コネクタ挿入部３の前端面に開口し、前端面から後方に向かって延び、空間３ａ内外を連通させる溝３４ａが形成されている。また上壁３４の上面において、溝３４ａの開口部分近傍位置であって溝３４ａの右側及び左側には、それぞれ第三係合突起３４Ａ、３４Ａが設けられている。第三係合突起３４Ａ、３４Ａはそれぞれ、第一係合突起３２Ｂ、第二係合突起３２Ｃと同一形状に構成されている。
【００２６】
端子保持部４は、コネクタ挿入部３の後側に接続され、上部が開口して内部が中空状の筐体であり、中空状の内部に端子群３Ａと接続される図示せぬ回路基板を備えている。端子保持部４の後方には、図示せぬ回路基板に接続されると共に実装基板に接続される複数の実装端子である実装端子群４Ａが垂下されるように設けられている。端子保持部４において左右方向の両面にはそれぞれ側面４１が規定され、側面４１は、一対の側壁３２、３２の側面３２Ａと面一になるように構成されている。この側面４１には、上下方向と直交する下面を有する規制板４１Ａが側面４１から突出して設けられている。この規制板４１Ａにより、モジュラジャック１を実装基板に装着した際の、実装基板に対するモジュラジャック１の上下方向位置を正確に規定することができる。側面４１の上端縁付近には、それぞれカバー５と係合する第四係合突起４１Ｂが設けられている。また側面４１の前端縁付近には、浮き上がり防止片４２が設けられている。
【００２７】
浮き上がり防止片４２は、図３に示されるように、側面４１の最前端であって第二係合突起３２Ｃの近傍から延出される基部４２Ａと、基部４２Ａの先端から前側に延出される腕部４２Ｂとから略Ｌ字状に構成されている。腕部４２Ｂにおいて外側面３２Ａと対向する位置に対向面４２Ｃが規定されており、対向面４２Ｃと外側面３２Ａとの間に隙間である溝部４２ａが規定されている。腕部４２Ｂの前端には、対向面４２Ｃの一部であって、前側（溝部４２ａの開口側）に近づくほど外側面３２Ａから離間する斜面４２Ｄが設けられている。浮き上がり防止片４２は、この溝部４２ａの開口部分が、第二係合突起３２Ｃの後に位置するように配置・構成されている。また浮き上がり防止片４２は、溝部４２ａの幅である外側面３２Ａから対向面４２Ｃまでの距離が、金属ケース６を構成する金属板の板厚の二倍未満となるように構成されている。
【００２８】
図２に示されるようにカバー５は、端子保持部４の上部開口を覆うように配置されており、端子保持部４に装着された状態で、上壁３４の上面及び一対の側壁３２、３２の外側面３２Ａと面一となる上面及び側面を備えて構成されている。カバー５において両側面には、それぞれ第四係合突起４１Ｂと係合可能な係合部５１Ａが設けられている。
【００２９】
金属ケース６は、薄板の金属板が折り曲げられて組立られており、前板６１と、一対の側板６２と、上板６３とから主に構成され、主にコネクタ挿入部３を覆っている。前板６１には、プラグ挿入孔３ｂと連通する挿入孔６１ａが形成されている。また前板６１において挿入孔６１ａの輪郭を構成する左右方向両側縁には、空間３ａ内に挿入されてプラグを空間３ａ内に導く導入板６１Ａ、６１Ａが設けられている。
【００３０】
側板６２には、第一係合孔６２ａと第二係合孔６２ｂとが形成されると共に、端子部６２Ａと、規制板６２Ｂとが設けられている。第一係合孔６２ａは、側板６２の前板６１近傍であって下側位置に配置されており、第一係合突起３２Ｂと係合可能に略四角形の孔に形成されている。第二係合孔６２ｂは、側板６２の後側に形成されており、第二係合突起３２Ｃと係合可能に略四角形の孔に形成されている。第二係合孔６２ｂにおいては、図４に示されるように、第二係合孔６２ｂを画成する周縁において、上板６３側に位置する係合孔上縁部６２ｂ１と反上板６３側に位置する係合孔下縁部６２ｂ２とが規定されており、第二係合孔６２ｂと第二係合突起３２Ｃとは、金属ケース６が本体部２に装着された状態で、係合孔下縁部６２ｂ２から第二係合突起３２Ｃまでの距離が、係合孔上縁部６２ｂ１から第二係合突起３２Ｃまでの距離より小さくなるようにそれぞれ配置されている。
【００３１】
端子部６２Ａと規制板６２Ｂとは、それぞれ側板６２の下端縁から規制板４１Ａと同様に突出するように構成されている。端子部６２Ａにおいてはその先端に図示せぬ実装基板と電気的に接続される接続端子を有している。規制板６２Ｂは、規制板４１Ａの下面と略同一平面になるように配置されており、規制板４１Ａと共に、モジュラジャック１の実装基板に対する上下方向位置を規定している。また側板６２において、第二係合孔６２ｂの後方には、溝部４２ａに挿入される縁部６２Ｃが規定されている。
【００３２】
上板６３には、一対の第三係合孔６３ａ、６３ａが前板６１近傍位置に左右方向に並んで形成されている。一対の第三係合孔６３ａ、６３ａは、それぞれ第三係合突起３４Ａ、３４Ａと係合可能に略四角形の孔に形成されている。
【００３３】
この金属ケース６を本体部２に装着する際には、図１に示されるように、本体部２の前側から金属ケース６を後方に移動させ、上板６３と上壁３４とを摺動させると共に、側板６２と側壁３２とを摺動させるように装着を行う。この状態において、側板６２及び上板６３は、それぞれ第一係合突起３２Ｂ、第二係合突起３２Ｃ及び第三係合突起３４Ａを乗り越えて第一係合突起３２Ｂ、第二係合突起３２Ｃ及び第三係合突起３４Ａと、第一係合孔６２ａ、第二係合孔６２ｂ及び第三係合孔６３ａとを係合させる。この時に、側板６２が第二係合突起３２Ｃを乗り越えることにより、特に側板６２の縁部６２Ｃが側壁３２から浮き上がるおそれがある。しかし縁部６２Ｃは、金属ケース６が本体部２に完全に装着された状態で溝部４２ａ内に挿入され、この状態で縁部６２Ｃが浮き上がろうとしても浮き上がり防止片４２の対向面４２Ｃに当接し、浮き上がりを抑制される。金属ケース６の浮き上がりが抑制されることにより、それぞれの係合孔からそれぞれの係合突起が外れることが抑制され、金属ケース６が本体部２から脱落することが抑制される。浮き上がり防止片４２においては、金属ケース６が挿入される開口部分に斜面４２Ｄを設けているため、この斜面４２Ｄに沿って縁部６２Ｃを溝部４２ａ内に導くことができる。よって金属ケース６の本体部２への装着時に、縁部６２Ｃが多少浮き上がっていたとしても、縁部６２Ｃを好適に溝部４２ａ内に導くことができる。溝部４２ａ内は、上述のように、縁部６２Ｃの板厚の２倍未満の隙間としている。この隙間であれば浮き上がり防止片４２への縁部６２Ｃの挿入性を確保しつつも、浮き上がり防止片４２から縁部６２Ｃが外れ難くなる。
【００３４】
また図４に示されるように、第二係合突起３２Ｃと第二係合孔６２ｂとの間の隙間において、上側の隙間より下側の隙間の方が小さくなるように構成されている。このような構成によると、金属ケース６が上方に移動するように本体部２から外れようとしても、前述の下側の隙間が小さいため、金属ケース６が本体部２から上方へほとんど移動することができない。即ち金属ケース６と本体部２との間に発生するガタ、上下方向のガタを抑制することができる。
【００３５】
本発明によるモジュラジャックは、上述した実施の形態に限定されず、特許請求の範囲に記載された範囲で種々の改良や変形が可能である。第一の変形例として、図５に示されるように、金属ケース１０６で本体部１０２の前端から後端までのすべてを覆うような構成であってもよい。このような構成において、浮き上がり防止片１４２を、溝１４２ａの開口が上方を向くように、第二係合突起１３２Ｃの近傍に設け、この浮き上がり防止片１４２に、金属ケース１０６の側板１６２の下縁となる縁部１６２Ｃを挿入する。このような構成においても、縁部１６２Ｃの浮き上がりを抑制し、金属ケース１０６が本体部２から脱落することを抑制することができる。また浮き上がり防止片１４２からも更に規制板１４３を左右方向に突出させ、金属ケース１０６に規制板を設けない構成とする。浮き上がり防止片１４２が設けられている端子保持部１０４は樹脂製であるため、成型が容易であり。よって金属板を切断し、折り曲げて規制板を構成するより、樹脂性のり浮き上がり防止片１４２に規制板１４３を設けた方が、製造を簡略化することができる。
【００３６】
また第二の変形例として、図６に示されるように、浮き上がり防止片２４２を、コネクタ挿入部２０３の図示せぬ上壁に設けてもよい。上壁において浮き上がり防止片２４２は、最後端位置かつ左右方向の中央位置に配置されている。このような位置に浮き上がり防止片２４２を配置することにより、一対の第三係合突起２３４Ａ、２３４Ａを乗り越えて浮き上がり防止片２４２位置まで到達した上板２６３の縁部を浮き上がり防止片２４２の溝部２４２ａ内に挿入することができ、上板２６３の縁部が上壁から浮き上がることを抑制することができる。
【００３７】
また第三の変形例として、図７に示されるように図１に示される実施の形態の構成において、浮き上がり防止片３４２からも更に規制板３４３を左右方向に突出させてもよい。この第三変形例においても、第一変形例と同様に、金属ケース３０６において、金属板を切断し、折り曲げて規制板を構成するより、端子保持部３０４において樹脂性の浮き上がり防止片３４２に規制板３４３を設けた方が、製造を簡略化することができる。
【符号の説明】
【００３８】
１・・モジュラジャック  ２・・本体部  ３・・コネクタ挿入部  ３Ａ・・端子群
３ａ・・空間  ３ｂ・・プラグ挿入孔  ４・・端子保持部  ４Ａ・・実装端子群
５・・カバー  ６・・金属ケース  ３１・・下壁  ３２・・側壁  ３２Ａ・・外側面
３２Ｂ・・第一係合突起  ３２Ｃ・・第二係合突起  ３３・・背壁  ３４・・上壁
３４Ａ・・第三係合突起  ３４ａ・・溝  ４１・・側面  ４１Ａ・・規制板
４１Ｂ・・第四係合突起  ４２・・浮き上がり防止片  ４２Ａ・・基部  ４２Ｂ・・腕部
４２Ｃ・・対向面  ４２Ｄ・・斜面  ４２ａ・・溝部  ５１Ａ・・係合部  ６１・・前板
６１Ａ・・導入板  ６１ａ・・挿入孔  ６２・・側板  ６２Ａ・・端子部
６２Ｂ・・規制板  ６２Ｃ・・縁部  ６２ａ・・第一係合孔６２ｂ・・第二係合孔
６２ｂ１・・係合孔上縁部  ６２ｂ２・・係合孔下縁部  ６３・・上板  ６３・・上板
６３ａ・・第三係合孔
【図１】
0005142093.tif 000002
【図２】
0005142093.tif 000003
【図３】
0005142093.tif 000004
【図４】
0005142093.tif 000005
【図５】
0005142093.tif 000006
【図６】
0005142093.tif 000007
【図７】
0005142093.tif 000008